(57)【要約】【課題】接続弁とターミナルを覆う電源カバーの開口部の強度をアップし、開口部からのごみや雨水の浸入を大幅に低減し、見栄えのよい空気調和機の室外機を提供する。【解決手段】天板２、左側板（図示せず）、右側板４、前板（図示せず）、基板６からなる外郭１ａと、基板６の右側板４側に配置され、上部に電装品箱７、下部に圧縮機等の冷凍サイクル部品（図示せず）を収納している機械室８と、室内機１と配管接続するための一対の接続弁９ａ、９ｂと、室内機１と電線接続するためのターミナル１０と、接続弁９ａ、９ｂとターミナル１０を覆う電源カバー１１ａとを備え、電源カバー１１ａに、配管（図示せず）と電線（図示せず）を通す開口部１４を設けると共に、その開口部１４に切断可能な覆板１５ａを設けたもので、電源カバー１１ａの開口部１４の強度をアップし、輸送時や配管接続前のごみの侵入を軽減し、品質も安定し見栄えも向上する。【選択図】図３
2010210199.tif 000002
【特許請求の範囲】
【請求項１】
天板、側板、前板、基板からなる外郭と、前記基板の一方の前記側板側に配置され、上部に電装品箱、下部に圧縮機等の冷凍サイクル部品を収納している機械室と、前記機械室の側面に配置され、室内機と配管接続するための一対の接続弁と、前記電装品箱の側面に配置され、前記室内機と電線接続するためのターミナルと、前記一対の接続弁と前記ターミナルを覆う電源カバーとを備え、前記電源カバーに、配管と電線を通す開口部又は切欠部を設けると共に、その開口部又は切欠部に切断可能な覆板を設けたことを特徴とする空気調和機の室外機。
【請求項２】
電源カバーに、大きさの異なる一対の接続弁が置換可能なスペースを確保したことを特徴とする請求項１に記載の空気調和機の室外機。
【請求項３】
覆板に、一部が連結された略Ｕの字状スリットを少なくとも２列放射状に配置したことを特徴とする請求項２に記載の空気調和機の室外機。
【請求項４】
覆板に、一部が連結された第一の略Ｕの字状スリットを配置し、更に内側に、１対の一部が連結された第二の略Ｕの字状スリットを配置したことを特徴とする請求項２に記載の空気調和機の室外機。
【発明の詳細な説明】
【技術分野】
【０００１】
本発明は、空気調和機の室外機に関するもので、特に、室内機と接続する電線接続部のターミナルや配管を接続する接続弁を覆う電源カバーを具備した空気調和機の室外機に関するものである。
【背景技術】
【０００２】
従来、この種の空気調和機の室外機の電源カバーは、室内機と接続する電線接続部のターミナルや配管を接続する接続弁を覆うと共に前記ターミナルや接続弁から室内機へ接続する電線や配管を導通する開口部を具備していた（例えば、特許文献１参照）。
【０００３】
図８は、従来の空気調和機の室外機の要部背面図である。
【０００４】
図８において、室外機１の側面に、室内機（図示せず）と配管接続する一対の接続弁９ａ、９ｂと、電線接続するターミナル１０を覆う電源カバー１１１を配置し、前記電源カバー１１１には、配管（図示せず）と電線（図示せず）を室内機へと導通する開口部１１４が設けられている。
【特許文献１】特開平０５−１３３５７１号公報
【発明の開示】
【発明が解決しようとする課題】
【０００５】
しかしながら、上記従来の空気調和機の室外機の構成では、電源カバー１１１に、開口部１１４が存するので、電源カバー１１１自体強度が不足したり、輸送時や配管接続前に、前記開口部１１４を通してごみが内部に侵入したり、接続弁９ａ、９ｂが見えたりして見栄えが悪く、更に、大きさの異なる接続弁９ａ、９ｂを配置するためのスペース確保上、室内機と配管や電線を接続した後も、開口部１１４に相当量の隙間があり、その隙間からごみや雨水が多量に侵入し、特に電装部品の劣化を促進したり、見栄えも悪いという課題を有していた。
【０００６】
本発明は、前記従来の課題を解決するもので、電源カバーの開口部の強度をアップし、輸送時や配管接続前のごみの侵入を軽減し、内部を見えにくくし、更に室内機と配管や電線を接続した後に開口部の隙間を減じ、ごみや雨水の浸入を大幅に低減し、特に電装部品の劣化を抑制し、見栄えのよい空気調和機の室外機を提供することを目的とする。
【課題を解決するための手段】
【０００７】
前記従来の課題を解決するために本発明の空気調和機の室外機は、天板、側板、前板、基板からなる外郭と、前記基板の一方の前記側板側に配置され、上部に電装品箱、下部に圧縮機等の冷凍サイクル部品を収納している機械室と、前記機械室の側面に配置され、室内機と配管接続するための一対の接続弁と、前記電装品箱の側面に配置され、前記室内機と電線接続するためのターミナルと、前記一対の接続弁と前記ターミナルを覆う電源カバーとを備え、前記電源カバーに、配管と電線を通す開口部又は切欠部を設けると共に、その開口部又は切欠部に切断可能な覆板を設けたもので、電源カバーの開口部や切欠部の強度をアップし、輸送時や配管接続前のごみの侵入を軽減し、品質も安定し見栄えも向上する。
【発明の効果】
【０００８】
本発明の空気調和機の室外機は、電源カバーの開口部の強度をアップし、輸送時や配管接続前のごみの侵入を軽減し、内部を見えにくくし、更に、室内機と配管や電線を接続し
た後に生ずる開口部の隙間を減じ、ごみや雨水の浸入を低減し特に電装部品の劣化を抑制し、見栄えの向上が可能となる。
【発明を実施するための最良の形態】
【０００９】
第１の発明は、天板、側板、前板、基板からなる外郭と、前記基板の一方の前記側板側に配置され、上部に電装品箱、下部に圧縮機等の冷凍サイクル部品を収納している機械室と、前記機械室の側面に配置され、室内機と配管接続するための一対の接続弁と、前記電装品箱の側面に配置され、前記室内機と電線接続するためのターミナルと、前記一対の接続弁と前記ターミナルを覆う電源カバーとを備え、前記電源カバーに、配管と電線を通す開口部又は切欠部を設けると共に、その開口部又は切欠部に切断可能な覆板を設けたもので、電源カバーの開口部や切欠部の強度をアップし、輸送時や配管接続前のごみの侵入を軽減し、品質も安定し見栄えも向上する。
【００１０】
第２の発明は、特に、第１の発明の電源カバーに、大きさの異なる一対の接続弁が置換可能なスペースを確保したもので、大きさの異なる接続弁ごとに電源カバ−を準備する必要がなく、部品の共用化が可能である。
【００１１】
第３の発明は、特に、第２の発明の覆板に、一部が連結された略Ｕの字状スリットを少なくとも２列放射状に配置したもので、施工時の履板の切断が容易になり、室内機と配管や電線を接続した後に、開口部や切欠部に生じる隙間を減じ、ごみや雨水の浸入を低減し特に電装部品の劣化を抑制し、品質も安定し見栄えも向上する。
【００１２】
第４の発明は、特に、第２の発明の覆板に、一部が連結された第一の略Ｕの字状スリットを配置し、更に内側に、１対の一部が連結された第二の略Ｕの字状スリットを配置したもので、施工時の履板の切断の容易さを確保しつつ、一対の配管個々に導通できるので、室内機と配管や電線を接続した後に、開口部や切欠部に生じる隙間を更に減じ、ごみや雨水の浸入を大幅に低減し特に電装部品の劣化を抑制し品質も安定し見栄えも向上する。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室外機の正面図、図２は、同空気調和機の室外機の側面図、図３は、同室外機の要部背面図である。
【００１５】
図１、図２及び図３において、本実施の形態における空気調和機の室外機１の外郭１ａの天面と、相対する側面と、前面と底面を、それぞれ、天板２と、左側板３と、右側板４と、前板５と、基板６で構成し、右側板４側の基板６上に、上部に電装品箱７、下部に圧縮機等冷凍サイクル部品（図示せず）を収納している機械室８を配置し、前記機械室８側の側面に、室内機と配管接続する一対の接続弁９ａ、９ｂと、電線接続するターミナル１０を電装品箱７の側面側に配置し、さらに前記一対の接続弁９ａ、９ｂとターミナル１０を覆う電源カバー１１ａを配置している。
【００１６】
前記電源カバー１１ａには、室外機１と室内機間に接続される配管（図示せず）と電線（図示せず）を通すための開口部１４が設けられ、更に、その開口部１４には、施工時切断可能な覆板１５ａが設けられている。
【００１７】
以上のように構成された本実施の形態における空気調和機の室外機について、以下その動作と作用について説明する。
【００１８】
まず、電源カバー１１ａは、一対の接続弁９ａ、９ｂとターミナル１０を覆うと共に、開口部１４には覆板１５ａが設けられている。
【００１９】
以上のように本実施の形態では、天面と相対する側面と前面を、それぞれ天板２、左側板３、右側板４、前板５で覆い、右側板４側の基板６上に、上部に電装品箱７、下部に圧縮機等の冷凍サイクル部品（図示せず）を収納している機械室８を配置し、前記機械室８側の側面に室内機と配管接続する一対の接続弁９ａ、９ｂと、電線接続するターミナル１０を、電装品箱７の側面側に配置し、さらに前記一対の接続弁９ａ、９ｂとターミナル１０を覆う電源カバー１１ａを配置し、前記電源カバー１１ａに、室外機１と室内機とを接続する配管と電線を通す開口部１４を設け、さらにその開口部１４に施工時切断可能な覆板１５ａを設けたことにより、電源カバー１１ａの開口部１４の強度をアップし、施工時に配管と電線に合わせて切断することにより、輸送時や配管接続前のごみの侵入を軽減し、施工前の品質も安定し見栄えも向上する。
【００２０】
尚、上記実施の形態では、電源カバー１１ａに設けた開口部１４に配管と電線を通すようにしたが、開口部１４の代わりに切欠部を設け、その切欠部に覆板１５ａを設け、施行時に、その覆板１５ａを切り取り、その切欠部に配管と電線を通すようにしても良い。
【００２１】
（実施の形態２）
図４は、本発明の第２の実施の形態における空気調和機の室外機の施工前の要部背面図、図５は、同空気調和機の室外機の施工前の要部背面図（大きさの異なる接続弁搭載時）、図６は、同空気調和機の室外機の施工後の要部背面図、図７は、同空気調和機の室外機の施工後の側面図である。尚、上記第１の実施の形態に  おける空気調和機の室外機と同一部分には同一符号を付してその説明を省略する。
【００２２】
図４〜図７において、室内機と配管接続する一対の接続弁９ａ、９ｂと、電線接続するターミナル１０を電装品箱７の側面側に配置し、さらに前記一対の接続弁９ａ、９ｂと、ターミナル１０を覆う電源カバー１１ｂを配置し、前記電源カバー１１ｂに、室内機に接続される配管１３と電線１２を通すための開口部１４を設け、その開口部１４に覆板１５ｂを設けている。
【００２３】
更に、その覆板１５ｂに、大きさの異なる一対の接続弁９ｄ、９ｅが置換可能なスペースを確保し、かつ、連結部１６ａ、ｂ、ｃを有する第一の略Ｕの字状スリット１７と、その内側に、連結部１８ａ、ｂ、ｃを有する第二の略Ｕの字状スリット１９を配置している。
【００２４】
以上のように本実施の形態では、電源カバー１１ｂは、大きさの異なる一対の接続弁９ｄ、９ｅが置換可能なスペースをも確保しているので、大きさの異なる接続弁ごとに電源カバ−を準備する必要が無く、部品の共用化が可能となる。また、施工前には、一対の接続弁９ａ、９ｂ、ターミナル１０と室内機とを接続する配管１２と電線１３を通す開口部１４に覆板１５ｂを設けているので、電源カバー１１ｂの開口部１４の強度をアップし、輸送時や配管接続前のごみの侵入を軽減し、品質も安定し見栄えも向上する。
【００２５】
また、施工時には、覆板１５ｂの第二の略Ｕの字状スリット１９の連結部１８ａ、ｂ、ｃをニッパー等で簡単に切断できるので、一対の接続弁９ａ、９ｂと、ターミナル１０に接続される配管１２と電線１３を容易に通すことができると共に、室内機と配管や電線を接続した後に、開口部１４に生じる隙間を減じ、ごみや雨水の浸入を低減し特に電装部品の劣化を抑制し、品質も安定し見栄えも向上する。
【００２６】
また、上記電源カバー１１ｂの覆板１５ｂに一部が連結された第一の略Ｕの字状スリッ
トを配置し、更に内側に、一対の一部が連結された第二の略Ｕの字状スリットを配置しても同等以上の効果が得られることになる。
【産業上の利用可能性】
【００２７】
以上のように、本発明に係る空気調和機の室外機は、電源カバーの開口部の強度をアップし、輸送時や配管接続前のごみの侵入を軽減し、内部を見えにくくし、更に室内機と配管や電線を接続した後に開口部の隙間を減じ、ごみや雨水の浸入を大幅に低減し、特に電装部品の劣化を抑制し、見栄えのよいもので、空気調和機の室外機に限らず、給湯機など配管接続を必要とする各種機器に適用できる。
【図面の簡単な説明】
【００２８】
【図１】本発明の第１の実施の形態における空気調和機の室外機の正面図
【図２】同空気調和機の室外機の側面図
【図３】同空気調和機の室外機の要部背面図
【図４】本発明の第２の実施の形態における空気調和機の室外機の施工前の要部背面  図
【図５】同空気調和機の室外機の施工前の要部背面図（大きさの異なる接続弁搭載時）
【図６】同空気調和機の室外機の施工後の要部背面図
【図７】同空気調和機の室外機の施工後の側面図
【図８】従来の空気調和機の室外機の要部背面図
【符号の説明】
【００２９】
１  室外機
１ａ  外郭
２  天板
３  左側板
４  右側板
５  前板
６  基板
７  電装品箱
８  機械室
９ａ、９ｂ、９ｄ、９ｅ  接続弁
１０  ターミナル
１１ａ、１１ｂ  電源カバー
１４  開口部
１５ａ、１５ｂ  覆板
【図１】
2010210199.tif 000003
【図２】
2010210199.tif 000004
【図３】
2010210199.tif 000005
【図４】
2010210199.tif 000006
【図５】
2010210199.tif 000007
【図６】
2010210199.tif 000008
【図７】
2010210199.tif 000009
【図８】
2010210199.tif 000010